(57)【特許請求の範囲】
【請求項１】
画像データを取得する画像読取部と、
前記画像読取部において取得された前記画像データを記憶するデータ記憶部と、
前記画像データに対応する複数の画像を表示する表示部と、
ユーザ操作を受け付ける受付部と、
一画面に所定数の画像を前記表示部に表示させることによって、前記複数の画像を複数の画面に分けて表示させるとともに、前記複数の画面のうち１つの画面を選択するユーザ操作に応じて画面を切り替え、各画面に表示される前記所定数の画像に対するプリント条件の設定を要求するユーザ操作に基づいて、前記複数の画像に対して前記所定数の画像ごとにプリント条件を設定する第１のプリント設定部と、
前記第１のプリント設定部によって設定されたプリント条件を変更するための画面への切り替えを要求するユーザ操作に応じて、前記複数の画像のうち前記第１のプリント設定部によってプリント条件が設定された画像のすべてを前記表示部に表示させるとともに、表示された画像ごとに設定されたプリント条件の変更を要求するユーザ操作に基づいて、前記第１のプリント設定部によって設定されたプリント条件を変更する第２のプリント設定部と、
を備えている写真処理装置。
【請求項２】
前記第２のプリント設定部において変更を受け付ける前記プリント条件は、プリント枚数である、
請求項１に記載の写真処理装置。
【請求項３】
前記第２のプリント設定部において変更を受け付ける前記プリント条件は、色補正条件である、
請求項１または２のいずれか１項に記載の写真処理装置。
【請求項４】
前記第２のプリント設定部において変更を受け付ける前記プリント条件は、プリントサイズである、
請求項１から３のいずれか１項に記載の写真処理装置。
【請求項５】
前記第１のプリント設定部および前記第２のプリント設定部において設定されたプリント条件に基づいて前記画像データをプリントするプリント部をさらに備えており、
前記プリント部は、前記第１のプリント設定部および前記第２のプリント設定部のいずれか一方においてプリント条件が設定されるとプリントを開始する、
請求項１から４のいずれか１項に記載の写真処理装置。
【請求項６】
前記表示部に表示される前記画像はサムネイル画像である、
請求項１から５のいずれか１項に記載の写真処理装置。
【請求項７】
前記画像読取部は、オーダ単位で前記画像データを取得する、
請求項１から６のいずれか１項に記載の写真処理装置。
【請求項８】
画像データを取得する第１のステップと、
前記第１のステップにおいて取得された前記画像データを記憶する第２のステップと、
前記第２のステップにおいて記憶された前記画像データに対応する複数の画像を、一画面に所定数の画像を表示させることによって、複数の画面に分けて表示する第３のステップと、
各画面に表示される前記所定数の画像に対するプリント条件の設定を要求するユーザ操作に基づいて、前記複数の画像に対して前記所定数の画像ごとにプリント条件を設定する第４のステップと、
前記第４のステップにおいて設定されたプリント条件を変更するための画面への切り替えを要求するユーザ操作に応じて、前記複数の画像のうち前記第４のステップにおいてプリント条件が設定された画像のすべてを表示する第５のステップと、
前記第５のステップにおいて表示された画像ごとに設定されたプリント条件の変更を要求するユーザ操作に基づいて、前記第４のステップにおいて設定されたプリント条件を変更する第６のステップと、
を備えたプリント操作方法をコンピュータに実行させるプリント操作制御プログラム。
【発明の詳細な説明】
【技術分野】
【０００１】
本発明は、画像データに基づいて写真をプリントする際に、画像を選択してプリント枚数や補正処理内容等の設定を行う写真処理装置およびプリント操作制御プログラムに関する。
【背景技術】
【０００２】
近年、デジタルカメラ等の装置によって撮影されて得られるデジタル画像データや、写真フィルムに撮影された画像をフィルムスキャナによって読み取って形成されたデジタル画像データ等に基づいて、写真をプリントする写真処理装置（デジタルミニラボ）が広く用いられている。
このような写真処理装置では、取得した画像データを低解像度の画像データと高解像度の画像データとに分けて保存し、そのうち低解像度の画像データ（サムネイル画像）をモニタ等に複数表示した、いわゆるプレジャッジ画面において、プリント枚数や補正処理内容の設定を行うことができる。
【０００３】
特許文献１では、６画像の画像データが表示可能なプレジャッジ画面において６画像それぞれについて各種設定した後、それらを確定（ジャッジ）すると即座にプリントが開始される写真処理装置が開示されている。そして、取得した画像データが７つより多い場合には、６画像ずつ順番にプレジャッジ画面に表示し、各種プリント条件の設定を行いプリントする。
【特許文献１】特開平７−５５９３号公報（平成７年１月１０日公開）
【発明の開示】
【発明が解決しようとする課題】
【０００４】
しかしながら、上記従来の写真処理装置では、以下に示すような問題点を有している。
すなわち、上記公報に開示された写真処理装置では、プレジャッジ画面においてプリント条件の設定を行い、その設定内容を確定すると即座にプリントが開始されると同時に、次の６画像を表示したプレジャッジ画面、すなわち、次頁のプレジャッジ画面に切り替わる。このとき、オペレータの入力ミス等で、例えば、プリント枚数に誤りがあった場合においても、先にプリント条件の設定を行ったプレジャッジ画面に戻ってプリント条件の変更を行うことができない。
【０００５】
これに対して、同じ態様の６画像が表示されたプレジャッジ画面においてプリント条件の設定を行うことは同じであるが、取得したすべての画像においてプリント条件の設定を行った後、プリントを開始する写真処理装置が実用化されている。この場合、前者の写真処理装置とは異なり、すでにプリント条件の設定を終えた画像のプレジャッジ画面に戻って設定内容の変更を行うことができる。ところが、プレジャッジ画面は、６画像単位、すなわち、１頁ずつ順に戻ることしかできない。このため、プリントする画像が多い場合には、最初の方のプレジャッジ画面でプリント条件の設定をした画像に対して設定内容の変更を行うことは大変な労力を要し、現実的ではない。
【０００６】
本発明の課題は、プレジャッジ画面においてプリント条件の設定を完了した画像に対して、作業性を低下させることなく容易にプリント条件の設定を変更することが可能な写真処理装置およびプリント操作制御プログラムを提供することにある。
【課題を解決するための手段】
【０００７】
第１の発明に係る写真処理装置は、画像読取部と、データ記憶部と、表示部と、第１のプリント設定部と、第２のプリント設定部と、を備えている。画像読取部は、画像データを取得する。データ記憶部は、画像読取部において取得された画像データを記憶する。表示部は、画像データに対応する画像を表示する。第１のプリント設定部は、表示部に画像データを所定数だけ表示させるとともに、表示された画像に対するプリント条件を受け付ける。第２のプリント設定部は、表示部に第１のプリント設定部においてプリント条件を受け付けた画像をすべて表示させるとともに、表示された画像に対するプリント条件の変更を受け付ける。
【０００８】
ここでは、第２のプリント設定部が、第１のプリント設定部においてプリント条件を受け付けた各画像データに対応する画像を一覧として表示するとともに、各画像に対するプリント条件の変更を受け付ける。なお、ここでいうプリント条件とは、例えば、プリント枚数、色補正、プリントサイズ等である。
ここで、写真処理装置は、一般的に、所定数の画像とそれぞれの画像に対するプリント条件とが表示された画面（以後、プレジャッジ画面と示す）において、各画像に対するプリント条件の設定を行うことができる。そして、このプレジャッジ画面は、所定数の画像しか表示できないことから、取得した画像データが多い場合には、プレジャッジ画面に表示する画像を差し替える。例えば、１２画像データを取得した場合には、最初に６画像データの画像を表示しそれらに対してプリント条件の設定を行う。そして、先の６画像に対するプリント条件の設定を終えると、先の６画像を残りの６画像に差し替えたプレジャッジ画面が表示され、残り６画像についてプリント条件の設定を行うことができる。以後、この所定数単位で表示されるプレジャッジ画面を「１頁」と定義して説明する。なお、前述の例だと、所定数単位が６画像であり、プレジャッジ画面は２頁で構成されていることになる。
【０００９】
従来、プレジャッジ画面でプリント条件の設定を行うと即座にプリントが開始されるような写真処理装置においては、プリント条件の設定にミスがあり再度プリントしたい場合であっても元のプレジャッジ画面に戻ることができなかった。このため、プリント条件の設定を替えて再度プリントするためには、新たなオーダとしてもう一度最初からプリント条件の設定をやり直す必要があった。しかし、新たなオーダになると、例えば、フィルムやメディアから画像データを再度取得する操作が面倒であったり、異なるオーダ毎に別々のソータが割り振られることから、ユーザによっては作業性が悪いと感じとられるおそれがある。また、すべての画像に対してプリント条件の設定を行った後にプリントする写真処理装置においては、所望の画像が表示されるプレジャッジ画面に戻ってプリント条件の設定を行うことができるが、１頁ずつしか戻ることができなかった。このため、例えば、１００頁分の画像についてプリント条件の設定を行った後に１頁目で設定した画像のプリント条件を変更したい場合、例えば、戻るボタンを９９回クリックして１頁目を表示させ、所望の画像にアクセスしなければならない。
【００１０】
そこで、本発明の写真処理装置においては、従来のプレジャッジ画面を表示部に表示させ、それらの画像に対するプリント条件を受け付ける第１のプリント設定部の他に、プレジャッジ画面においてプリント条件が設定されたすべての画像を表示部に表示（以後、ジャッジ済画像一覧画面と示す）させ、それらの画像に対するプリント条件の変更を受け付ける第２のプリント設定部を備えている。
【００１１】
これにより、プリント条件の設定された画像が多数ある場合においても、ジャッジ済画像一覧画面から容易に所望の画像にアクセスすることができる。なお、ジャッジ済画像一覧画面は、プリント条件が設定されたすべての画像を一覧で表示させたものであるが、表示部のスペックによって縦方向あるいは横方向にスクロールを発生させる場合がある。
この結果、プレジャッジ画面においてプリント条件の設定を完了した画像に対して、作業性を低下させることなく容易にプリント条件の設定を変更することが可能となる。
【００１２】
第２の発明に係る写真処理装置は、第１の発明に係る写真処理装置であって、第２のプリント設定部において変更を受け付けるプリント条件は、プリント枚数である。
ここでは、第２のプリント設定部は、第１のプリント設定部において既にプリント条件を受け付けた画像に対して、プリント枚数の変更を受け付けることができる。
これにより、プリント枚数の変更をしたい所望の画像に対して容易にアクセスすることができ、プリント枚数を変更することができるので作業性が向上する。また、最終的にプリントする各画像に対するプリント枚数を、第２のプリント設定部が表示するジャッジ済画像一覧画面によって容易に把握することができる。
【００１３】
第３の発明に係る写真処理装置は、第１または第２の発明に係る写真処理装置であって、第２のプリント設定部において変更を受け付けるプリント条件は、色補正条件である。
ここでは、第２のプリント設定部は、第１のプリント設定部において既にプリント条件を受け付けた画像に対して、色補正条件の変更を受け付けることができる。
これにより、色補正条件の変更をしたい所望の画像に対して容易にアクセスすることができ、色補正条件を変更することができるので作業性が向上する。また、最終的にプリントする各画像に対する色補正条件を、第２のプリント設定部が表示するジャッジ済画像一覧画面によって容易に把握することができる。
【００１４】
第４の発明に係る写真処理装置は、第１から第３の発明のいずれか１つに係る写真処理装置であって、第２のプリント設定部において変更を受け付けるプリント条件は、プリントサイズである。
ここでは、第２のプリント設定部は、第１のプリント設定部において既にプリント条件を受け付けた画像に対して、プリントサイズの変更を受け付けることができる。
これにより、プリントサイズの変更をしたい所望の画像に対して容易にアクセスすることができ、プリントサイズを変更することができるので作業性が向上する。また、最終的にプリントする各画像に対するプリントサイズを、第２のプリント設定部が表示するジャッジ済画像一覧画面によって容易に把握することができる。
【００１５】
第５の発明に係る写真処理装置は、第１から第４の発明のいずれか１つに係る写真処理装置であって、プリント部をさらに備えている。プリント部は、第１のプリント設定部および第２のプリント設定部において受け付けたプリント条件に基づいて画像データをプリントする。そして、プリント部は、第１のプリント設定部および第２のプリント設定部のいずれか一方においてプリント条件を受け付けるとプリントを開始する。
【００１６】
ここでは、第１のプリント設定部が表示部に表示させるプレジャッジ画面および第２のプリント設定部が表示部に表示させるジャッジ済画像一覧画面のいずれか一方においてプリント条件を受け付けるとプリントを開始する。
ここで、一般的に、画像プリントは、すべての画像に対してプリント条件が設定された後に出力される。しかし、画像の数が多い場合には、プリント条件の設定に時間がかかる上、画像プリントにも時間を要する。
【００１７】
そこで、本発明の写真処理装置では、プレジャッジ画面において入力されたプリント条件を第１のプリント設定部が受け付けると、プリント部は、表示された画像に対応する画像プリントを開始するようにしている。または、ジャッジ済画像一覧画面において変更されたプリント条件を第２のプリント設定部が受け付けると、表示された画像のうちプリント条件が変更された画像に対応する画像プリントを開始するようにしている。
これにより、ユーザが画像のプリント条件を設定している間のプリント部の待機時間を有効に利用することができるので、画像プリントを効率的に行うことができる。
【００１８】
第６の発明に係る写真処理装置は、第１から第５の発明のいずれか１つに係る写真処理装置であって、表示部に表示される画像はサムネイル画像である。
ここでは、プレジャッジ画面およびジャッジ済画像一覧画面で表示する画像としてサムネイル画像を使用している。なお、サムネイル画像とは、ファイルサイズの小さなデータにより構成される低解像度の画像をいう。
これにより、サムネイル画像に対応する画像データは元の画像データよりもファイルサイズが小さいので表示部における表示が早くなる。この結果、快適なユーザインターフェイスをユーザに提供することが可能となる。
【００１９】
第７の発明に係る写真処理装置は、第１から第６の発明のいずれか１つに係る写真処理装置であって、画像読取部は、オーダ単位で画像データを取得する。
【００２０】
ここでは、画像読取部が取得した画像データを、１つのオーダとしている。
ここで、１つのオーダは、一般的に、１枚のＣＤ−ＲＯＭ等のメディアや、１本のフィルム等に含まれる画像データのプリントであり、これらの画像データに対してプリント条件を設定する。
これにより、１枚のＣＤ−ＲＯＭ等のメディアや、１本のフィルム等を画像読取部にセットすると、新規オーダとしてのプリント条件が設定できるようになり、ユーザにとってわかりやすいインターフェイスを提供することが可能となる。
【００２１】
第８の発明に係るプリント操作制御プログラムは、第１から第６のステップを備えたプリント操作方法をコンピュータに実行させる。第１のステップでは、画像データを取得する。第２のステップでは、第１のステップにおいて取得された画像データを保存する。第３のステップでは、第２のステップにおいて記憶された画像データに対応する画像を所定数だけ表示する。第４のステップでは、第３のステップにおいて表示された画像に対するプリント条件を受け付ける。第５のステップでは、第４のステップによってプリント条件を受け付けた画像をすべて表示する。第６のステップでは、第５のステップにおいて表示された画像に対してプリント条件の変更を受け付ける。
【００２２】
ここでは、第５のステップにおいて、第４のステップでプリント条件を受け付けた各画像データに対応する画像を一覧として表示するとともに、第６のステップにおいて、各画像に対するプリント条件の変更を受け付ける。なお、ここでいうプリント条件とは、例えば、プリント枚数、色補正、プリントサイズ等である。
ここで、このようなプリント操作制御プログラムでは、一般的に、所定数の画像とそれぞれの画像に対するプリント条件とが表示された画面において、各画像に対するプリント条件の設定を行うことができる。そして、このプレジャッジ画面は、所定数の画像しか表示できないことから、取得した画像データが多い場合には、プレジャッジ画面に表示する画像を差し替える。例えば、１２画像データを取得した場合には、最初に６画像データの画像を表示しそれらに対してプリント条件の設定を行う。そして、先の６画像に対するプリント条件の設定を終えると、先の６画像を残りの６画像に差し替えたプレジャッジ画面が表示され、残り６画像についてプリント条件の設定を行うことができる。以後、この所定数単位で表示されるプレジャッジ画面を「１頁」と定義して説明する。なお、前述の例だと、所定数単位が６画像であり、プレジャッジ画面は２頁で構成されていることになる。
【００２３】
従来、プレジャッジ画面でプリント条件の設定を行うと即座にプリントが開始されるようなプリント操作制御プログラムにおいては、プリント条件の設定にミスがあり再度プリントしたい場合であっても元のプレジャッジ画面に戻ることができなかった。このため、もう一度プレジャッジ画面に戻って、最初からプリント条件の設定をやり直す必要があった。このため、プリント条件の設定を替えて再度プリントするためには、新たなオーダとしてもう一度最初からプリント条件の設定をやり直す必要があった。しかし、新たなオーダになると、例えば、フィルムやメディアから画像データを再度取得する操作が面倒であったり、異なるオーダ毎に別々のソータが割り振られることから、ユーザによっては作業性が悪いと感じとられるおそれがある。また、すべての画像に対してプリント条件の設定を行った後にプリントするプリント操作制御プログラムにおいては、所望の画像が表示されるプレジャッジ画面に戻ってプリント条件の設定を行うことができるが、１頁ずつしか戻ることができなかった。このため、例えば、１００頁分の画像についてプリント条件の設定を行った後に１頁目で設定した画像のプリント条件を変更したい場合、例えば、戻るボタンを９９回クリックして１頁目を表示させ、所望の画像にアクセスしなければならない。
【００２４】
そこで、本発明のプリント操作制御プログラムにおいては、従来のプレジャッジ画面を表示部に表示させ、それらの画像に対するプリント条件を受け付けるステップの他に、プレジャッジ画面においてプリント条件が設定されたすべての画像を表示部に表示（以後、ジャッジ済画像一覧画面と示す）させる第３のステップと、それらの画像に対するプリント条件の変更を受け付ける第４のステップと、を備えている。
【００２５】
これにより、プリント条件の設定された画像が多数ある場合においても、ジャッジ済画像一覧画面から容易に所望の画像にアクセスすることができる。なお、ジャッジ済画像一覧画面は、プリント条件が設定されたすべての画像を一覧で表示させたものであるが、表示部のスペックによって縦方向あるいは横方向にスクロールを発生させる場合がある。
この結果、プレジャッジ画面においてプリント条件の設定を完了した画像に対して、作業性を低下させることなく容易にプリント条件の設定を変更することが可能となる。
【発明の効果】
【００２６】
第１の発明に係る写真処理装置によれば、プレジャッジ画面においてプリント条件の設定を完了した画像に対して、作業性を低下させることなく容易にプリント条件の設定を変更することが可能となる。
第２の発明に係る写真処理装置によれば、プリント枚数の変更をしたい所望の画像に対して容易にアクセスすることができ、プリント枚数を変更することができるので作業性が向上する。また、最終的にプリントする各画像に対するプリント枚数を、第２のプリント設定部が表示するジャッジ済画像一覧画面によって容易に把握することができる。
【００２７】
第３の発明に係る写真処理装置によれば、色補正条件の変更をしたい所望の画像に対して容易にアクセスすることができ、色補正条件を変更することができるので作業性が向上する。また、最終的にプリントする各画像に対する色補正条件を、第２のプリント設定部が表示するジャッジ済画像一覧画面によって容易に把握することができる。
第４の発明に係る写真処理装置によれば、プリントサイズの変更をしたい所望の画像に対して容易にアクセスすることができ、プリントサイズを変更することができるので作業性が向上する。また、最終的にプリントする各画像に対するプリントサイズを、第２のプリント設定部が表示するジャッジ済画像一覧画面によって容易に把握することができる。
【００２８】
第５の発明に係る写真処理装置によれば、ユーザが画像のプリント条件を設定している間のプリント部の待機時間を有効に利用することができるので、画像プリントを効率的に行うことができる。
第６の発明に係る写真処理装置によれば、サムネイル画像に対応する画像データは元の画像データよりもファイルサイズが小さいので表示部おける表示が早くなる。この結果、快適なユーザインターフェイスをユーザに提供することが可能となる。
【００２９】
第７の発明に係る写真処理装置によれば、１枚のＣＤ−ＲＯＭ等のメディアや、１本のフィルム等を画像読取部にセットすると、新規オーダとしてのプリント条件が設定できるようになり、ユーザにとってわかりやすいインターフェイスを提供することが可能となる。
第８の発明に係る写真処理装置によれば、プレジャッジ画面においてプリント条件の設定を完了した画像に対して、作業性を低下させることなく容易にプリント条件の設定を変更することが可能となる。
【発明を実施するための最良の形態】
【００３０】
本発明の一実施形態に係る写真プリントシステム（写真処理装置）１について、図１〜図７を用いて説明すれば以下の通りである。
［写真プリントシステム１全体の構成］
本発明の一実施形態に係る写真処理装置は、図１に示すように、いわゆるデジタルミニラボと呼ばれる写真プリントシステム（写真処理装置）１である。
【００３１】
写真プリントシステム１は、操作ステーション（画像読取部、データ記憶部、表示部、第１のプリント設定部、第２のプリント設定部）２と、プリントステーション（プリント部）３とを備えている。
操作ステーション２は、現像された写真フィルム２ａやデジタルカメラ等で撮影されたデジタル画像データが保存されたメモリカード２ｂ等のメディアから画像データを取り込んでプリントデータを作成し、ケーブル４を介して接続されたプリントステーション３に対して送信する。
【００３２】
プリントステーション３は、操作ステーション２から受信した画像データに基づいて、印画紙Ｐに対して露光処理および現像処理を行って写真プリントを行う。
［操作ステーション２の構成］
操作ステーション２は、図１に示すように、デスク上に配置された、フィルムスキャナ（画像読取部）２１と、メディアリーダ（画像読取部）２２と、モニタ（表示部）２３と、キーボード２４と、マウス２５と、パソコン（データ記憶部、第１のプリント設定部、第２のプリント設定部）ＰＣと、を有している。
【００３３】
フィルムスキャナ２１は、写真フィルム２ａに現像された撮影コマに対応する画像を画像データとして取り込む。
メディアリーダ２２は、本写真プリントシステム１のコントローラとして機能するパソコンＰＣに搭載されており、デジタルカメラ等で撮影された画像データをメモリカード２ｂや各種半導体メモリ、ＣＤ−Ｒ等のメディアから取り込む。
【００３４】
パソコンＰＣは、モニタ２３、キーボード２４、マウス２５と接続されている。ユーザは、モニタ２３に表示される後述するプレジャッジ画面４０やジャッジ済画像一覧画面５０において画像データに対する画像を見ながら、キーボード２４、マウス２５等のポインティングデバイスを用いてプリント枚数等の各種プリント条件の設定を行う。また、パソコンＰＣは、図３に示すように、ＣＰＵ２６、ＲＡＭ等のメモリ（データ記憶部）２７、ＨＤＤ等の外部記憶装置２８を有している。ここで、キーボード２４やマウス２５を介してユーザによって入力された指示に従って、外部記憶装置２８に記憶されたプリント操作制御プログラムがメモリ２７に読み込まれる。これにより、フィルムスキャナ２１やメディアリーダ２２等から取り込まれた画像データに対してプリント処理を行うために必要な機能が機能ブロックとして形成され、ＣＰＵ２６によって実行できる状態となる。そして、パソコンＰＣは、上記機能ブロックとして、図４に示すように、画像入力部（画像読取部）３１と、プレジャッジ画面制御部（第１のプリント設定部）３２と、ジャッジ済画像一覧画面制御部（第２のプリント設定部）３３と、画像処理部３４と、を機能ブロックとして有している。
【００３５】
画像入力部３１は、フィルムスキャナ２１やメディアリーダ２２によって読み取られた画像データを取り込んで、画像補正を行う原画像データとしてメモリ２７に送信する。このとき、画像入力部３１は、写真フィルム２ａをフィルムスキャナ２１より取得する場合には、プレスキャンモードと本スキャンモードとのスキャンデータ（それぞれのモードにより取得されたデータは、低解像度データ、高解像度データ）を別々にメモリ２７に送り込む。一方、メモリカード２ｂ等から画像データを取得する場合には、モニタ２３での一覧表示などの目的で使用するために、撮影画像の本データ（高解像度データ）とは別に、サムネイル画像データ（低解像度データ）をメモリ２７に格納する。このように、画像データとして高解像度データと低解像度データの２種類をメモリ２７に記憶させることで、後述するプレジャッジ画面４０およびジャッジ済画像一覧画面５０において、低解像度データを用いてプリント枚数等のプリント条件の設定を行うことができる。この結果、画面表示に係わるパソコンＰＣにおける計算負荷を低減することができるので、ユーザに対して軽快なユーザインターフェイスを提供することが可能となる。
【００３６】
プレジャッジ画面制御部３２は、プレジャッジ画面４０における各種ウインドウや各種操作ボタン、キーボード２４やマウス２５等を用いたユーザ操作入力に基づいてプリント条件を入力する入力等のグラフィックユーザインターフェース（以後、ＧＵＩと示す）を構築する。また、プレジャッジ画面制御部３２は、ＧＵＩによって入力されたプリント枚数等のプリント条件を受け付け、そのプリント条件を画像処理部３４およびメモリ２７へ送信する。なお、プレジャッジ画面４０の詳細については後段にて詳述する。
【００３７】
ジャッジ済画像一覧画面制御部３３は、プレジャッジ画面制御部３２と同様に、ジャッジ済画像一覧画面５０におけるＧＵＩを構築する。また、ジャッジ済画像一覧画面制御部３３は、プレジャッジ画面制御部３２で受け付けたプリント条件を画像とともにジャッジ済画像一覧画面５０において表示する。また、プレジャッジ画面制御部３２は、ＧＵＩによって変更入力されたプリント枚数等のプリント条件を受け付け、そのプリント条件を画像処理部３４およびメモリ２７へ送信する。
【００３８】
画像処理部３４は、プレジャッジ画面４０において入力されたプリント条件、または、ジャッジ済画像一覧画面５０において変更されたプリント条件の内容を反映させるように画像データに対して画像処理を行う。そして、画像処理部３４は、画像処理した画像データをプリントステーション３に送信する。
［プリントステーション３の構成］
プリントステーション３は、図２に示すように、内部に、２つの印画紙マガジン１１と、シートカッター１２と、バックプリント部１３と、プリント露光部１４と、処理槽ユニット１５と、コンベア１６と、ソータ１７（図１参照）と、印画紙搬送機構１８とを有している。
【００３９】
２つの印画紙マガジン１１は、プリントステーション３の内部においてロール状の印画紙Ｐを１つずつ収納しており、印画紙搬送機構１８によって適宜必要な量の印画紙Ｐが引き出される。
シートカッター１２は、印画紙搬送機構１８の一部と隣接するように配置されており、印画紙マガジン１１から引き出された印画紙Ｐをプリントサイズに切断する。
【００４０】
バックプリント部１３は、シートカッター１２の下流側であって印画紙搬送機構１８と隣接する位置に配置されており、プリントサイズに切断された印画紙Ｐの裏面側に、色補正情報やコマ番号等のプリント処理情報をプリント処理する。
プリント露光部１４は、バックプリント部１３の下流側における印画紙搬送機構１８に隣接するように配置されており、プリントサイズに切断された印画紙Ｐの表面に対して、プリントする撮影画像の露光を行う。また、プリント露光部１４には、副走査方向に搬送される印画紙Ｐに対して主走査方向に沿ってＲＧＢの３色のレーザ光線を照射する図示しないライン露光ヘッドを有している。
【００４１】
処理槽ユニット１５は、プリント露光部１４の下流側に配置されており、発色現像処理液を貯留する発色現像槽１５ａ、漂白定着処理液を貯留する漂白定着槽１５ｂ、安定処理液を貯留する安定処理層１５ｃを有している。そして、露光後の印画紙Ｐがこれらの各処理槽１５ａ〜１５ｃをこの順で経由しながら印画紙搬送機構１８によって搬送されることで、所望の写真プリント画像が印画紙Ｐの表面に形成される。
【００４２】
コンベア１６は、プリントステーション３の上部に露出しており、写真プリント画像が表面に形成されて乾燥処理後に排出された印画紙Ｐをソータ１７（図１参照）の方向へ搬送する。
ソータ１７は、プリントステーション３の前面側に鉛直方向に複数のトレイを並べた状態で配置されており、コンベア１６によって搬送されるプリント済の印画紙Ｐを、オーダ単位で各トレイに振り分ける（図１参照）。
【００４３】
印画紙搬送機構１８は、プリントステーション３の内部において、印画紙マガジン１１に収容されたロール状の印画紙Ｐを引き出すとともに、プリントサイズに切断された印画紙Ｐを、印画紙Ｐに対して行われる様々な処理に対応した搬送速度で搬送する。また、印画紙搬送機構１８は、印画紙Ｐの搬送方向におけるプリント露光部１４の上流側および下流側にそれぞれ配置されたチャッカー式搬送ユニット１８ａと、複数の挟持搬送ローラ対１８ｂとを有している。
【００４４】
＜プレジャッジ画面４０＞
本実施形態の写真プリントシステム１において、プリント条件の各種設定を行う際にモニタ２３に実際に表示されるプレジャッジ画面４０について説明すれば、以下の通りである。
本実施形態では、ユーザは、図５に示すように、画像データを６画像ずつ表示するプレジャッジ画面４０において画像をチェックしながら、各画像についてプリントの有無、プリント枚数、プリントサイズ、色補正等について設定を行う。
【００４５】
具体的には、フィルムスキャナ２１等によって取得され、メモリ２７に格納された画像データは、図５に示すようなプレジャッジ画面４０における６つの表示枠４１に表示される。このプレジャッジ画面４０における各表示枠４１の下部には、色濃度補正設定エリア４２とプリント枚数設定エリア４３とが配置されている。
色濃度補正設定エリア４２には、「イエロー」、「マゼンタ」、「シアン」、「濃度」の設定枠が設けられており、補正量の「Ｎ」はニュートラルを意味し、これを選択すると補正なしとなる。プリント枚数設定エリア４３には、プリント枚数入力枠が設けられており、「パス」はプリント枚数が「０」であることを意味している。
【００４６】
また、プレジャッジ画面４０における下段部分には、プリント条件表示エリア４４が配置されている。このプリント条件表示エリア４４では、この写真プリント出力に適用されたプリントチャンネル名称が表示されており、このプリントチャンネルに含まれているプリントサイズ、インデックスプリントの要否やメディア出力の要否などが決定される。なお、プリントサイズとは、Ｃ、Ｐ、Ｌ、２Ｌ等の仕上がり写真プリントの大きさを示すものであり、本実施形態では印画紙幅と送り長さとでプリントサイズが決定される。
【００４７】
さらに、プレジャッジ画面４０における両端の下段部には、ファンクションボタン４５とスタートボタン４６と、ジャッジ済画像一覧ボタン４７が配置されている。
ファンクションボタン４５は、クリックされると、図示しない機能表示画面へと移行し、写真プリントシステム１における様々な機能にアクセスすることができる。
スタートボタン４６は、図４に示すプレジャッジ画面４０において入力した各種プリント条件を確定するためのボタンである。スタートボタン４６がクリックされると、画像処理部３４は、プリント条件に従って各画像データの画像処理を開始する。そして、次の頁（次の６画像）のプレジャッジ画面４０が表示される。
【００４８】
ジャッジ済画像一覧ボタン４７は、プレジャッジ画面４０において各種プリント条件を受け付けた画像に対して、プリント条件の変更を行うための画面であるジャッジ済画像一覧画面５０に遷移するためのボタンである。
＜ジャッジ済画像一覧画面５０＞
本実施形態の写真プリントシステム１において、プリント条件の各種設定変更を行う際にモニタ２３に実際に表示されるジャッジ済画像一覧画面５０について説明すれば、以下の通りである。
【００４９】
本実施形態では、ユーザは、図６に示すように、ジャッジされた画像をすべて表示するジャッジ済画像一覧画面５０において画像をチェックしながら、各画像についてプリントの有無、プリント枚数、プリントサイズ、色補正等について設定変更を行う。
具体的には、上述した図５に示すプレジャッジ画面４０においてプリント条件が設定され、その設定条件がメモリ２７に格納された画像データは、図６に示すようなジャッジ済画像一覧画面５０においてすべて表示される（表示枠５１）。そして、このジャッジ済画像一覧画面５０における各表示枠５１の下部には、プリント枚数設定エリア５２が配置されている。
【００５０】
本実施形態の写真プリントシステム１におけるジャッジ済画像一覧画面５０は、横に６画像を表示することが可能であり、その６画像はプレジャッジ画面４０において表示される１頁分の画像と対応している。例えば、フィルムスキャナ２１またはメディアリーダ２２において画像データを１２０枚取得したとすると、プレジャッジ画面４０は２０頁で構成される。そして、例えば、プレジャッジ画面４０において、１２０枚の画像全てに対してプリント条件を設定したとすると、ジャッジ済画像一覧画面５０では、横に６画像が配置された表示枠５１を１段とすると、縦方向に２０段表示される。
【００５１】
プリント枚数設定エリア５２には、プリント枚数入力枠５３が設けられており、「パス」はプリント枚数が「０」であることを意味している。また、プリント枚数入力枠５３の両端には、プリント枚数減算ボタン５４と、プリント枚数加算ボタン５５が配置されており、ボタンをクリックするとそれぞれ１枚ずつプリント枚数が減算または加算され、マウスのみによる入力を可能としている。
【００５２】
また、ジャッジ済画像一覧画面５０における下段部分には、ファンクションボタン５６とスタートボタン５７と、プレジャッジ画面ボタン５８と、が配置されている。
ファンクションボタン５６は、クリックされると、図示しない機能表示画面へと移行し、写真プリントシステム１における様々な機能にアクセスすることができる。
スタートボタン５７は、図６に示すジャッジ済画像一覧画面５０において入力変更した各種プリント条件を確定するためのボタンである。スタートボタン５７がクリックされると、画像処理部３４は、各画像に対するプリント条件に従って各画像データの画像処理を開始する。
【００５３】
プレジャッジ画面ボタン５８は、フィルムスキャナ２１またはメディアリーダ２２から取得した画像データのうち、未だプリント条件の設定を終えていないデータ、すなわち、プレジャッジ画面４０において未だプリント条件の設定入力を行っていない画像のプリント条件を設定するために、プレジャッジ画面４０に遷移するためのボタンである。
スクロールバー５９は、画面を上下にスライドさせることによって、１画面に表示しきれない部分の画面を表示するためのＧＵＩである。これにより、ジャッジ済画像一覧画面５０を構成する頁として含まれているが、モニタ２３の性能等によって表示されない画像を表示することができる。なお、モニタ２３は、モニタ２３の性能を表す解像度によって、１画面に表示できる領域が異なる。
【００５４】
＜本実施形態の写真プリントシステム１によるプリント操作の流れ＞
ここで、本実施形態の写真プリントシステム１によるプリント操作の流れについて、図７に示すフローチャートと上述したモニタ２３に表示される、図４・図５に示すような、各画面を用いて説明すれば以下の通りである。
ステップＳ１において、例えば、フィルムスキャナ２１に写真フィルム２ａがセットされると新しいオーダの受付を開始し、メモリ２７に格納されている前回のオーダによる画像データおよびプリント条件を削除する。なお、写真プリントシステム１の電源を入力した直後等、メモリ２７に画像データおよびプリント条件が格納されていない場合もある。
【００５５】
ステップＳ２において、写真フィルム２ａについてはフィルムスキャナ２１、写真データを記録した各種メディアについてはメディアリーダ２２を用いて画像データが入力される。このとき、図４に示すような機能ブロックとしてメモリ２７に一時的に保存される。このとき、メモリ２７へ送信される画像データは、実際の写真プリント用の本画像データ（高解像度画像データ）と、プレジャッジ画面４０およびジャッジ済画像一覧画面５０において表示される画像用のサムネイル画像データ（低解像度画像データ）という２形態で画像入力部３１から送信される。
【００５６】
ステップＳ３においては、図５に示すように、ステップＳ２において入力された画像データのうち６画像分を表示したプレジャッジ画面４０がモニタ２３に表示される。
ステップＳ４においては、プレジャッジ画面４０に表示された６画像の画像データのそれぞれについて、プリント枚数、プリントサイズ、色補正等の各種設定を行うか否かを受け付ける。具体的な操作としては、プレジャッジ画面４０において表示されている色濃度補正設定エリア４２やプリント枚数設定エリア４３等へマウス２５やキーボード２４を利用して各種条件の入力を行う。
【００５７】
ステップＳ５においては、ジャッジ済画像一覧ボタン４７が押下されたかどうかの判断を行う。そして、ジャッジ済画像一覧ボタン４７が押下された場合にはステップＳ６へ遷移し、ジャッジ済画像一覧ボタン４７が押下されなかった場合には、スタートボタン４６が押下されることにより、ステップＳ８に遷移する。
ステップＳ６においては、図６に示すように、後述するステップＳ８におけるスタートボタン４６の押下等で既にプリント条件が設定された全ての画像を表示したジャッジ済画像一覧画面５０がモニタ２３に表示される。
【００５８】
ステップＳ７においては、ジャッジ済画像一覧画面５０に表示された全ての画像について、プリント枚数の設定変更を受け付ける。具体的な操作としては、ジャッジ済画像一覧画面５０において表示されているプリント枚数入力枠５３へマウス２５やキーボード２４を利用して設定変更の入力を行う。なお、ジャッジ済画像一覧画面５０に画面遷移したときにプリント枚数入力枠５３に表示される数値は、プレジャッジ画面４０において設定した数値であり、メモリ２７から取り出している。
【００５９】
ステップＳ８においては、ステップＳ４におけるプレジャッジ画面４０でスタートボタン４６が押下された場合、または、ステップＳ７におけるジャッジ済画像一覧画面５０でスタートボタン５７が押下された場合、プレジャッジ画面４０またはジャッジ済画像一覧画面５０において入力されたプリント条件が画像処理部３４へ送信される。そして、画像処理部３４は、プレジャッジ画面４０またはジャッジ済画像一覧画面５０においてそれぞれの画像に対して入力されたプリント条件に基づいて、それぞれの画像データの画像処理を行う。
【００６０】
ステップＳ９においては、ステップＳ８において画像処理部３４が画像処理した画像データを外部記憶装置２８に保存するとともに、ステップＳ４またはステップＳ７において受け付けた各画像に対するプリント条件をメモリ２７に保存する。
ステップＳ１０においては、メモリ２７に格納された画像データの全てに対してプリント条件が設定されたかどうかを判断し、全ての画像データに対してプリント条件が設定されている場合には、各画像データに対するプリント条件の一覧、すなわち、オーダ情報を一覧に表示するオーダ画面（図示せず）をモニタ２３に表示する。また、メモリ２７に格納された画像データのうち、ジャッジされていない画像がある場合にはステップＳ３に戻り、それらの画像を対象にしたプレジャッジ画面４０が表示される。
【００６１】
ステップＳ１１においては、オーダ情報を一覧に表示するオーダ画面（図示せず）をモニタ２３に表示する。
ステップＳ１２においては、オーダ変更ボタンが押下されたかどうかの判断を行う。そして、オーダ変更ボタンが押下された場合にはステップＳ１３に遷移し、オーダ変更ボタンが押下されなかった場合には、例えば、スタートボタン（図示せず）が押下されることによってステップＳ１７へ遷移する。
【００６２】
ステップＳ１３においては、図６に示すように、ステップＳ４やステップＳ７におけるスタートボタン４６・５７の押下によって既にプリント条件が設定された全ての画像を表示したジャッジ済画像一覧画面５０がモニタ２３に表示される。
ステップＳ１４においては、図６に示すようなジャッジ済画像一覧画面５０に表示された全ての画像について、プリント枚数の設定変更を受け付ける。具体的な操作としては、ステップＳ７と同様である。
【００６３】
ステップＳ１５においては、ステップＳ１４におけるジャッジ済画像一覧画面５０でスタートボタン５７が押下されると、ジャッジ済画像一覧画面５０において入力されたプリント条件が画像処理部３４へ送信される。そして、画像処理部３４は、ジャッジ済画像一覧画面５０においてそれぞれの画像に対して入力されたプリント条件に基づいて、それぞれの画像データの画像処理を行う。
【００６４】
ステップＳ１６においては、ステップＳ１５において画像処理部３４が画像処理した画像データを外部記憶装置２８に保存するとともに、ステップＳ１４において受け付けた各画像に対するプリント条件をメモリ２７に保存する。
ステップＳ１７においては、外部記憶装置２８に格納されたステップＳ８あるいはステップＳ１５において画像処理された画像データをプリントステーション３へ送信する。そして、プリントステーション３は、メモリ２７に格納されたプリント条件（プリント枚数、プリントサイズ）に従って画像データをプリントする。
【００６５】
［写真プリントシステム１の特徴］
（１）
本実施形態の写真プリントシステム１は、プレジャッジ画面４０をモニタ２３に表示させ、それらの画像に対するプリント条件を受け付けるプレジャッジ画面制御部３２と、プレジャッジ画面制御部３２でプリント条件を受け付けたすべての画像を表示するジャッジ済画像一覧画面５０をモニタ２３に表示させ、それらの画像に対するプリント条件の変更を受け付けるジャッジ済画像一覧画面制御部３３を備えている。
【００６６】
これにより、例えば、プレジャッジ画面において１００頁分の画像についてプリント条件の設定を行った後に、プレジャッジ画面の１頁目で設定した画像のプリント条件を変更したい場合に、従来のように１頁戻るボタンを９９回クリックして１頁目を表示させるなど非効率な作業を行うことなく、ジャッジ済画像一覧画面５０から容易に所望の画像にアクセスすることができる。
【００６７】
この結果、プレジャッジ画面４０においてプリント条件の設定を完了した画像に対して、作業性を低下させることなく容易にプリント条件の設定を変更することが可能となる。
（２）
本実施形態の写真プリントシステム１では、ジャッジ済画像一覧画面制御部３３がモニタ２３に表示するジャッジ済画像一覧画面５０によって、プレジャッジ画面４０において既にプリント条件を受け付けた画像に対して、プリント枚数の変更を受け付けることができる。
【００６８】
これにより、プリント枚数の変更をしたい所望の画像に対して容易にアクセスすることができ、プリント枚数を変更することができるので作業性が向上する。
（３）
本実施形態の写真プリントシステム１では、プレジャッジ画面４０およびジャッジ済画像一覧画面５０で表示する画像としてサムネイル画像を使用している。
【００６９】
これにより、サムネイル画像に対応する画像データは元の画像データよりもファイルサイズが小さいのでモニタ２３おける表示が早くなる。この結果、快適なユーザインターフェイスをユーザに提供することが可能となる。
（４）
本実施形態の写真プリントシステム１では、フィルムスキャナ２１に写真フィルム２ａがセットされると新しいオーダの受付を開始し、メモリ２７に格納されている前回のオーダによる画像データおよびプリント設定条件を削除する。また、メディアリーダ２２にメモリカード２ｂがセットされた場合も同様である。
【００７０】
これにより、１本の写真フィルム２ａや１枚のメモリカード２ｂをそれぞれフィルムスキャナ２１やメディアリーダ２２にセットすると、新規オーダとしてのプリント条件が設定できるようなプレジャッジ画面４０に自動的に遷移し、ユーザにとってわかりやすいインターフェイスを提供することが可能となる。
［他の実施形態］
以上、本発明の一実施形態について説明したが、本発明は上記実施形態に限定されるものではなく、発明の要旨を逸脱しない範囲で種々の変更が可能である。
【００７１】
（Ａ）
上記実施形態の写真プリントシステム１では、ジャッジ済画像一覧画面５０がプリント枚数の設定変更のみ受け付けることができる例を挙げて説明した。しかし、本発明はこれに限定されるものではない。
例えば、ジャッジ済画像一覧画面５０におけるプリント枚数設定エリア５２の下部に、図５で示すプレジャッジ画面４０における色濃度補正設定エリア４２のようなＧＵＩを備えていてもよい。この場合にも、色濃度の補正を行いたい画像に対して容易にアクセスができるという、上記の実施形態に係る写真プリントシステム１と同様の効果を得ることができる。
【００７２】
また、図５で示すプレジャッジ画面４０におけるプリント条件表示エリア４４のようなＧＵＩを備えることによって、プリントサイズの設定変更に対して、同様の効果を得ることができる。
（Ｂ）
上記実施形態の写真プリントシステム１では、図７のフローチャートが示すように、プレジャッジ画面４０あるいはジャッジ済画像一覧画面５０において、取得した全ての画像に対するプリント条件を設定した後、オーダ画面を確認して、まとめてプリントを行う例を挙げて説明した。しかし、本発明はこれに限定されるものではない。
【００７３】
例えば、図７に示すステップＳ４においてプレジャッジ画面４０に表示される１頁分の画像に対してプリント条件を設定し、図５に示すスタートボタン４６をクリックしたと同時、すなわち、図７に示すステップ９の後にプリントを開始してもよい。これにより、ユーザがプレジャッジ画面４０における次頁の画像に対してプリント条件を設定している間のプリントステーション３の待機時間を有効に利用することができるので、プリントを効率的に行うことができる。
【００７４】
さらに、この形態の写真プリントシステム１によれば、図５に示すスタートボタン４６をクリックした後でも修正したい画像の画像処理が終了する以前であれば、ジャッジ済画像一覧画面５０に遷移して、プリント枚数、色補正条件、プリントサイズのいずれも変更を受け付けることが可能となる。また、プリント後であっても、プリント枚数の追加は、ジャッジ済画像一覧画面５０に遷移して同一のオーダの中で行うことが可能である。これにより、プリント条件を変更した画像のプリントも同一のオーダとして取り扱うことができるとともに、無駄なプリントの作成を回避することができる。
【００７５】
なお、色補正条件、プリントサイズの変更も同一のオーダとしてジャッジ済画像一覧画面５０で受け付けることも可能であるが、先に出力したプリントをミスプリントとしてユーザが手動で破棄する必要がある。
また、図７に示すステップＳ７においてジャッジ済画像一覧画面５０に表示される画像に対するプリント条件の設定変更した後、図６に示すスタートボタン５７をクリックしても、同様の効果を得ることができる。
【００７６】
（Ｃ）
上記実施形態の写真プリントシステム１では、プレジャッジ画面４０およびジャッジ済画像一覧画面５０で表示する画像としてサムネイル画像を使用した例を挙げて説明した。しかし、本発明はこれに限定されるものではない。
サムネイル画像といったフォーマットに限定しなくても、ファイルサイズの小さな画像であれば、上記の実施形態に係る写真プリントシステム１と同様の効果を得ることができる。
【００７７】
なお、デジタルカメラ用の画像ファイルフォーマット規格（Eｘｉｆ）が実装されている製品から取得する画像データには、サムネイル画像データが含まれていることから、本データを表示画像として採用することが望ましい。
（Ｄ）
上記実施形態の写真プリントシステム１では、プレジャッジ画面４０およびジャッジ済画像一覧画面５０で入力したプリント条件に基づいて画像データを画像処理するタイミングを、図７に示すように、ステップＳ４におけるプレジャッジ画面４０のスタートボタン４６クリック後、または、ステップＳ７におけるジャッジ済画像一覧画面５０のスタートボタン５７クリック後、または、ステップＳ１４におけるジャッジ済画像一覧画面５０のスタートボタン５７クリック後とする例を挙げて説明した。しかし、本発明はこれに限定されるものではない。
【００７８】
例えば、前述した場面（ステップＳ４、ステップＳ７、ステップＳ１４）においては、画像に対するプリント条件をメモリ２７へ保存しておき、ステップＳ１７におけるプリント時にまとめて各画像データに対する画像処理を行ってもよい。この場合も、上記の実施形態に係る写真プリントシステム１と同様の効果を得ることができる。
（Ｅ）
上記実施形態の写真プリントシステム１では、プリントの直前にオーダ画面をモニタ２３に表示させる例を挙げて説明した。しかし、本発明はこれに限定されるものではない。
【００７９】
例えば、ジャッジ済画像一覧画面５０をプリント直前にプリント条件を確認するオーダ画面として活用することもできる。この場合も、上記の実施形態に係る写真プリントシステム１と同様の効果を得ることができる。
（Ｆ）
上記実施形態の写真プリントシステム１では、１本の写真フィルム２ａや１枚のメモリカード２ｂから取得される画像データを１オーダとしてプリント操作を行う例を挙げて説明した。しかし、本発明はこれに限定されるものではない。
【００８０】
例えば、複数のフィルムやメディアから画像データを取得して、それらをまとめて１オーダとしても、上記の実施形態に係る写真プリントシステム１と同様の効果を得ることができる。
（Ｇ）
上記実施形態の写真プリントシステム１では、図７に示すプリント操作の流れを処理するために、外部記憶装置２８に格納されたプログラムをＰＣ上のメモリ２７に展開し、図４に示す機能ブロックを形成し、この機能ブロックが各部を制御する例を挙げて説明した。しかし、本発明はこれに限定されるものではない。
【００８１】
例えば、図７に示すプリント操作の流れを処理するためのＣＰＵ、メモリおよびＲＯＭ等から形成されるプリント操作制御装置が写真プリントシステム１に内蔵されていてもよい。この場合も、プリント操作制御装置に形成される同様の機能ブロックが各部を制御するので、上記の実施形態に係る写真プリントシステム１と同様の効果を得ることができる。
【００８２】
（Ｈ）
上記実施形態の写真プリントシステム１では、図５に示すプレジャッジ画面４０は、１頁に６画像を表示するようなＧＵＩの例を挙げて説明した。しかし、本発明はこれに限定されるものではない。
例えば、１頁に４画像を表示したり、１０画像を表示したりしてもよい。プリント条件の入力エリア等との関係から、ユーザにとって見やすいＧＵＩを提供できればよく、この場合も、上記の実施形態に係る写真プリントシステム１と同様の効果を得ることができる。
【産業上の利用可能性】
【００８３】
本発明によれば、画像に対して一度設定したプリント条件を容易に変更できるという効果を奏することから、複数の画像に対してプリント条件の設定を行う写真処理装置や画像処理装置等に対して広く適用可能である。
【図面の簡単な説明】
【００８４】
【図１】本発明の一実施形態に係る画像処理装置を備えた写真プリントシステムを示す外観図。
【図２】図１の写真プリントシステムのプリントステーションの構成を示す概略図。
【図３】図１の写真プリントシステムにおいて形成される制御ブロック図。
【図４】図１の写真プリントシステムにおいて形成される機能ブロックを含む制御ブロック図。
【図５】図１の写真プリントシステムのモニタに表示されるプレジャッジ画面を示す図。
【図６】図１の写真プリントシステムのモニタに表示されるジャッジ済画像一覧画面を示す図。
【図７】図１の写真プリントシステムにおけるプリント操作制御を示すフローチャート。
【符号の説明】
【００８５】
１        写真プリントシステム（写真処理装置）
２        操作ステーション
２ａ      写真フィルム
２ｂ      メモリカード
３        プリントステーション（プリント部）
４        ケーブル
１１      印画紙マガジン
１２      シートカッター
１３      バックプリント部
１４      プリント露光部
１５      処理槽ユニット
１５ａ    発色現像槽
１５ｂ    漂白定着槽
１５ｃ    安定処理層
１６      コンベア
１７      ソータ
１８      印画紙搬送機構
１８ａ    チャッカー式搬送ユニット
１８ｂ    挟持搬送ローラ対
２１      フィルムスキャナ（画像読取部）
２２      メディアリーダ（画像読取部）
２３      モニタ（表示部）
２４      キーボード
２５      マウス
２６      ＣＰＵ
２７      メモリ（データ記憶部）
２８      外部記憶装置
３１      画像入力部（画像読取部）
３２      プレジャッジ画面制御部（第１のプリント設定部）
３３      ジャッジ済画像一覧画面制御部（第２のプリント設定部）
３４      画像処理部
４０      プレジャッジ画面
４１      表示枠
４２      色濃度補正設定エリア
４３      プリント枚数設定エリア
４４      プリント条件表示エリア
４５      ファンクションボタン
４６      スタートボタン
４７      ジャッジ済画像一覧ボタン
５０      ジャッジ済画像一覧画面
５１      表示枠
５２      プリント枚数設定エリア
５３      プリント枚数入力枠
５４      プリント枚数減算ボタン
５５      プリント枚数加算ボタン
５６      ファンクションボタン
５７      スタートボタン
５８      プレジャッジ画面ボタン
５９      スクロールバー
Ｓ        ステップ
【図１】
0004655958.tif 000002
【図２】
0004655958.tif 000003
【図３】
0004655958.tif 000004
【図４】
0004655958.tif 000005
【図５】
0004655958.tif 000006
【図６】
0004655958.tif 000007
【図７】
0004655958.tif 000008